(57)【特許請求の範囲】
【請求項１】
顔出し用開口（１）を絞るために開口縁部（３）に沿って絞り紐（８）が挿通され、開口縁部（３）上方位置には前方に向けてひさし部（１２）が突設されているフードにおいて、開口縁部（３）のうち少なくともひさし部（１２）の領域には保形用部材（１５）が連続的に設けられ、絞り紐（８）は、ひさし部（１２）の基端部側の縫着部（１４）で縫着され、絞り紐（８）を絞ることによってひさし部（１２）が絞り紐（８）の挿通位置（Ｋ）を支点にして上方に迫り上がるように構成されていることを特徴とするフード。
【発明の詳細な説明】
【０００１】
【発明の属する技術分野】
本発明は、レインコートや防寒服等のフードの改良に関する。
【０００２】
【従来の技術】
レインコートや防寒服等の衣服には、その襟口にスナップボタンやファスナー等の留め具によって着脱自在にフードが取り付けられる。該フードは頭に直接被せたりまた帽子を着用したうえから被せたりして用いられる。
【０００３】
また、顔出し用開口の開口縁部に沿って絞り紐が挿通されており、着用状態において絞り紐を下方に向けて引っ張り絞って開口を調節することにより着用者の頭部にフードを密着させることができる。
【０００４】
一方、開口縁部上方位置にひさし部が前方に向けて突設されたフードもあり、該ひさし部によって雨が顔にあたり難くなる。
【０００５】
【発明が解決しようとする課題】
しかるに、フードは柔軟な生地から形成されているため、絞り紐を絞ると、ひさし部にシワが発生する。そのため、フードの外面を伝って流れ落ちる雨水が、縦シワを通って開口から顔面に流れ込むことがあった。
【０００６】
それゆえに本発明は、上記従来の問題点に鑑みてなされ、フードの外面を伝って流れ落ちる雨水の顔面への浸入を抑制することができるフードを提供することを課題とする。
【０００７】
【課題を解決するための手段】
本発明は、上記課題を解決すべくなされたものであり、本発明に係るフードは、顔出し用開口を絞るために開口縁部に沿って絞り紐が挿通され、開口縁部上方位置には前方に向けてひさし部が突設されているフードにおいて、開口縁部のうち少なくともひさし部の領域には保形用部材が連続的に設けられ、絞り紐は、ひさし部の基端部側の縫着部で縫着され、絞り紐を絞ることによってひさし部が絞り紐の挿通位置を支点にして上方に迫り上がるように構成されていることを特徴とする。
【０００８】
【発明の実施の形態】
以下、本発明に係るフードの一実施形態として図１乃至図６を参酌しつつ説明する。
図１に示すフードは、頭部に着用されて顔出し用開口１を形成する袋状のフード本体２と、顔出し用開口１の開口縁部３下方位置から左右それぞれ前方に向けて所定幅にて延設された一対のマスク片４とから構成されている。
【０００９】
左右一対のマスク片４は、係止手段によって互いに係止、連結可能に構成されており、係止状態において着用者の口部周辺を覆うことができるように構成されている。ここで、係止手段としては種々の構成を採用できるが、本実施形態では、面ファスナー５が使用されている。尚、係止手段としてスナップボタンを使用することもできる。
【００１０】
フード本体２及び一対のマスク片４は、柔軟性を有する生地から形成されており、フード本体２は、防水性を有する表地６と、通気性を有する裏地７とから中空状に形成され、表地６と裏地７とは所定箇所において互いに縫着により連結されている。
【００１１】
また、表地６と裏地７との間には、二本の絞り紐８，９が挿通されている。第一の絞り紐８は、顔出し用開口１の開口面積を調節するためのもので、その開口縁部３に沿って正面視略逆Ｕ字状に挿通配置されている。該絞り紐８は、マスク片４の基端部近傍位置に取り付けられた鳩目１０から外部に左右それぞれ部分的に引き出され、左右の止め具１１によって内部に挿通している長さを調節することができる構成となっている。
第二の絞り紐９は、一方の側頭部下方位置から後頭部を回って他方の側頭部下方位置まで略水平に周回され、その左右両端部側は部分的に前記鳩目１０から引き出されて、前記止め具１１によって第一の絞り紐８と共に長さ調節可能に構成されている。尚、これらの絞り紐８，９は、例えばゴム紐から構成される。
【００１２】
一方、開口縁部３上方位置には、前方に向けてひさし部１２が突設されている。該ひさし部１２は、略中央に向けて徐々にその突出量が大きくなり、全体として略半円状に形成されている。該ひさし部１２も、表地６と裏地７とから中空状に形成されており、その中空部１３を第一の絞り紐８が挿通している。より詳細には、図４（イ）のように、絞り紐８はひさし部１２の基端部側の位置を通っており、図５のように、ひさし部１２の左右方向略中央位置の一カ所で裏地７に縫着されている。即ち、絞り紐８はこの一カ所の縫着部１４を除いて表地６や裏地７とは連結されていない。また、裏地７側に縫着されていて表地６側には縫着されていないので、表地６の防水特性を維持できる。
【００１３】
更に、このひさし部１２を含めて開口縁部３には保形用部材としての玉縁１５（パイピング）が取り付けられている。具体的には、玉縁１５は、マスク片４の領域を除いて、開口縁部３の全領域に連続的に設けられている。
【００１４】
該玉縁１５は、図４（ロ）の如く、長手方向に沿った取付片１６を有しており、該取付片１６が表地６と裏地７で上下に挟み込まれ、互いに縫着されることにより開口縁部３に固定されている。より詳細には、玉縁１５は、断面視略円形の芯材１５ａと、該芯材１５ａの周面を巻回するシート体１５ｂとから構成され、シート体１５ｂの一側縁部が外方に延設されることにより取付片１６が形成されている。尚、芯材１５ａ及びシート体１５ｂは例えば合成樹脂から構成され、シート体１５ｂとしては例えばウレタンフィルムが使用される。
【００１５】
このように、玉縁１５は、それ自体の保有弾性によってその形状を維持する構成であり、フード本体２の生地（表地６や裏地７）に比して剛性が大きい、従って、この玉縁１５が取り付けられることにより、開口縁部３の腰が強くなって開口縁部３の保形性が向上される。
【００１６】
尚、図１において、１７は、マスク片４をその先端部４ａから挿入するためのポケットであり、該ポケット１７は前側に開口部１７ａを有している。また、１８は、マスク片４をポケット１７に挿入した際に、その内側への折れ曲がり状態を維持するためにマスク片４の基端部上方位置に設けられた雄雌一対のスナップボタンである。
【００１７】
かかるフードは、スナップボタン２０，２１等によってレインコート等の衣服の襟口に取り付けられ、着用者の頭部を覆う。その際、本実施形態では、スナップボタン２１（留め具）がフード本体２の下端部のみならず、マスク片４の基端部下方位置にも設けられているため、このマスク片４基端部下方位置のスナップボタン２１をレインコート側に係止することにより、マスク片４のバタツキを従来以上に抑制することができる。
【００１８】
また、フードを着用した状態において第一の絞り紐８の両端部を下方に向けて引っ張って開口縁部３を絞ると顔出し用開口１の開口面積が小さくなり、着用者の頭部にフードが密着する。また、第二の絞り紐９も同様に前方に向けて引っ張って絞ると、後頭部下方位置においてもフードが密着し、従って、強風によってフードが外れにくくなり、そのバタツキも抑制できる。特に、釣りの場合にはフードの内側に鍔付きの帽子を着用することも多いが、両絞り紐８，９を絞ることによってフードを帽子に密着することができる。尚、図３に示すように、フード本体２の後頭部略中央位置には、長手方向一端部３０ａがフード本体２に固定され他端部３０ｂが自由端とされた絞り片３０が上下方向に沿って設けられている。該絞り片３０の他端部３０ｂは面ファスナー３１によってフード本体２の外面に着脱可能であり、その他端部３０ｂの取付位置を上下に変更することでフード本体２を上下方向に絞って上下のだぶつきを除去することができる。
【００１９】
また、第一の絞り紐８を絞ると、その挿通位置における表地６や裏地７（生地）が縮められるが、開口縁部３には保形性を有する玉縁１５が設けられているため、開口縁部３は縮まない。そのため、図６に二点鎖線にて示した絞る前の状態から、同図に実線にて示した絞り後の状態のように、絞り紐８の挿通位置Ｋを支点としてひさし部１２が上方に迫り上がった状態となる。
【００２０】
しかも、玉縁１５によって開口縁部３における縦シワの発生が抑制され、ひさし部１２は張った状態に維持される。従って、頭部頂点付近から下方に流下する雨水は、この迫り上がったひさし部１２によって堰き止められる。雨水は絞り紐８の挿通位置Ｋに形成される窪み部分を左右に分かれて流れ落ちるため、流下する雨水の顔面への浸入が阻止されるのである。特に、玉縁１５をひさし部１２の領域のみならず、マスク片４に達するまで設けているので、側方から顔面に雨水が流れ込むことも抑制できる。
【００２１】
また、第一の絞り紐８の略中央部分を縫着によりひさし部１２に固定しているため、その縫着部１４を起点として絞り紐８の両端部側を略均等に絞り調節することが可能となり、顔面への密着性がより一層高まるのみならず、開口縁部３におけるシワの発生防止効果も向上して雨水の浸入を阻止できる。
【００２２】
ところで、玉縁１５を開口縁部３ではなく開口縁部３から所定距離奥側に設けることも考えられる。例えば、ひさし部１２の基端部における縫着部分外面側に玉縁１５を前後に挟み込むようにして縫着固定することも考えられるが、絞り紐８を絞った際に、雨水が玉縁１５を越えてひさし部１２側に流れ込み、雨水の顔面への流入を十分に阻止することはできなかった。これに対して本実施形態のように開口縁部３に玉縁１５を設けることにより、ひさし部１２の腰を強くすることでシワの発生が抑制されると共に、ひさし部１２が上方に迫り上がって雨水の顔面への流入が阻止されるのである。
【００２３】
尚、絞り紐８を一カ所にて縫着したが、間隔をおいて二カ所、あるいは三カ所以上で縫着してもよく、何れにしてもひさし部１２に固定し、その両側においてはフード本体２と固定しないことが好ましい。
更に、上記実施形態では第一の絞り紐８を一本の紐から構成したが、縫着部１４を起点として左右二本の紐から絞り紐８を構成してもよい。
【００２４】
また、開口縁部３の略全領域に亘って玉縁１５を設けたが、少なくともひさし部１２の領域に玉縁１５を設けることにより、ひさし部１２を上方に迫り上げることができ且つ、ひさし部１２におけるシワの発生も防止できる。
【００２５】
その他、ひさし部１２の形状等も適宜設計変更可能であり、第一の絞り紐８を縫着しない構成や、第二の絞り紐９を省略する構成も採用可能である。
【００２６】
【発明の効果】
以上のように、開口縁部に保形用部材を設けてひさし部が迫り上がるようにしたので、保形用部材によってひさし部の保形性が高まってシワの発生が抑制され、フードの外面を流れ落ちる雨水を迫り上がったひさし部で塞き止めることができて、その顔面への浸入を抑制することができる。
【図面の簡単な説明】
【図１】本発明の一実施形態におけるフードを正面図。
【図２】同フードを斜め前方から見た斜視図。
【図３】同フードの背面図。
【図４】（イ）はＰ−Ｐ線断面図、（ロ）は（イ）のＡ部拡大図。
【図５】同フードのひさし部を内側から見た概略図。
【図６】同フードの使用状態を示す側面図。
【符号の説明】
１…顔出し用開口、２…フード本体、３…開口縁部、４…マスク片、６…表地、７…裏地、８，９…絞り紐、１０…鳩目、１１…止め具、１２…ひさし部、１３…中空部、１４…縫着部、１５…玉縁（保形用部材）、Ｋ…挿通位置
【図１】
0004653908.tif 000002
【図２】
0004653908.tif 000003
【図３】
0004653908.tif 000004
【図４】
0004653908.tif 000005
【図５】
0004653908.tif 000006
【図６】
0004653908.tif 000007